(57)【特許請求の範囲】
【請求項１】
円筒形のタンクの屋根の構築方法であって、凸円板形状の屋根板と屋根板の上面の半径方向に設けた複数の半径屋根骨とを有するタンク屋根下部構造を準備する準備工程と、その半径屋根骨の上面の円周方向に補強骨を接合する補強工程と、タンク屋根下部構造を屋根板の下方から空気圧で支持するエアーサポート工程と、エアーサポート工程中に、前記補強骨（２７）を撤去する撤去工程と、エアーサポート工程中にタンク屋根下部構造の上面に鉄筋コンクリートを打設する打設工程とを備え、
前記補強工程は、
前記円周方向に間隔を置いて配置されるように、複数の前記継ぎ板を、前記タンク屋根下部構造の上面に接合する継ぎ板接合工程と、
前記複数の継ぎ板を前記補強骨で連結するように、前記複数の継ぎ板に前記補強骨を接合する補強骨接合工程とを、備え、
さらに、前記継ぎ板接合工程では、前記タンク屋根下部構造の前記上面から上方に突出するように、前記各継ぎ板を該上面に接合し、前記補強骨接合工程では、前記複数の継ぎ板を介して前記補強骨を前記タンク屋根下部構造に接合する、ことを特徴とするタンク屋根の構築方法。
【請求項２】
前記補強骨は円弧状である、ことを特徴とする請求項１に記載のタンク屋根の構築方法。
【発明の詳細な説明】
【０００１】
【発明の属する技術分野】
本発明は、円筒型タンク屋根の構築方法に係り、更に詳しくは、厚さが薄く軽量の屋根を持った円筒型タンクの屋根の構築方法に関する。
【０００２】
【従来の技術】
液化天然ガスや液化プロパンガス等を貯蔵するために、主に内槽と外槽を有する円筒型タンクが用いられる。円筒型タンクの形式には大きく分けて、外槽が金属製のタンクのものと外槽が鉄筋コンクリート製のものがある。外槽が鉄筋コンクリートの形式の円筒タンクは主に地下式タンクで採用される。以下に、地下式タンクの構造を説明する。
【０００３】
図６は地下式タンクの正面断面図である。地下式タンクは外槽２０と内槽３０と保冷構造４０とを備える。外槽２０は、鉄筋コンクリート製で、円板形状の外槽底部２１と円筒形状の外槽側部２２と上に凸の円板形状の外槽屋根部２３を有する。内槽３０は、薄板ステンレス製で、円板形状の内槽底部３１と円筒形状の内槽側部３２と上に凸の円板形状の内槽屋根部３３を有する。保冷構造は、断熱材製で、底部保冷４１と側部保冷４２と屋根部保冷４３とを有する。底部保冷４１が外槽底部２１の上面に設けられ、内槽底部３１がその底部保冷４１の上面に設けられる。側部保冷４２が外槽側部２２の内面に設けら、内槽側部３２がその側部保冷４２の内面に設けられる。屋根部保冷４３が外槽屋根部２３の下面に設けられ、内槽屋根部３３が屋根部保冷４３の下面に設けられる。内槽底部３１の外周と内槽側部３２の下端とが接合され、内槽側部３２の上端と内槽屋根部３３の外周とが接合され、内槽全体が液密になっている。
【０００４】
次に、この地下式タンクの構築手順を説明する。図７は、従来の地下式タンクの構築方法である。（第Ａ工程）地面に穴を掘り、その内部に外槽底部２１と外槽側部２２が打設する。リング状の帯が外槽側部の上端に設けられる（これを、ナックルプレート５０といい、外槽屋根部の一部となる）。（第Ｂ工程）外槽底部２１の上面に外槽屋根部２３の下部構造２３ａのブロックを搬入し、外槽屋根部２３の下部構造２３ａを組み立てる。（第Ｃ工程）外槽屋根部２３の下部構造２３ａの下面に、屋根部保冷４３を取り付け、その下面に内槽屋根部３３を取り付ける。従って、外槽屋根部２３の下部構造２３ａと屋根部保冷４３と内槽屋根部３３とが一体となった構造を構成する。
【０００５】
（第Ｄ工程）外槽屋根部２３の下部構造２３ａの外周に仮屋根（図示せず）を設け、外槽側部２２との間を気密にする。外槽屋根部２３の下部構造２３ａの下部に圧縮空気を導入し、外槽屋根部２３の下部構造２３ａを圧縮空気の圧力で支持しつつ外槽屋根部２３の下部構造２３ａを屋根部保冷４３と内槽屋根部３３と一緒に持ち上げる（この工法を、エアーレイジング工法という）。外槽屋根部２３の下部構造２３ａが外槽側部２２の上端に位置したら、外槽屋根部２３の下部構造２３ａと外槽側部２２とを仮固定をして圧縮空気を抜く。外槽屋根部２３の下部構造２３ａの外周と外槽側部２２の上端にあるナックルプレート５０とを接合する。
【０００６】
（第Ｅ工程）屋根部下部構造の上面に、鉄筋を配置しコンクリートを打設する。鉄筋コンクリートが、所定の強度を得て、外槽屋根部２３の上部構造２３ｂになったことを確認する。（第Ｆ工程）外槽底部２１の上面に、底部保冷４１を取付、その上面に内槽底部３１を設ける。外槽側部２２の内面に、側部保冷４２を取り付け、その内面に内槽側部３２を取り付ける。内槽底部３１の周囲と内槽側部３２の下端とを接合する。さらに内槽側部３２の上端と内槽屋根部３３の周囲を接合する。さらに、ポンプダクト等の補器（図示せず）を設けて地下式タンク１０の建造が完了する。
【０００７】
外槽屋根部２３は下部構造２３ａと上部構造２３ｂとを備える。その下部構造２３ａは、第Ｂ工程において、外槽底部２１の上部で製造される。外槽屋根部２３の下部構造２３ａは、第Ｃ工程において単体でその下部に屋根部保冷４３と内槽屋根部３３を吊るので、十分な強度が要求される。外槽屋根部２３の下部構造２３ａは図示しない屋根板と半径屋根骨と円周屋根骨を有する。屋根板は凸円形状の金属板である。半径屋根骨と円周屋根骨は、通常高さが２００ｍｍから３００ｍｍのＨ型鋼で作られる。半径屋根骨は、型材で製造され、屋根板の上面のその中心から等間隔の放射線上に、設けられている。円周屋根骨は、半径屋根骨の側面を繋ぐ様に、屋根板の上面に同心円状に設けられる。
【０００８】
また、外槽屋根部２３の上部構造２３ｂは、第Ｅ工程において、外槽側部２２の上端に固定された後、鉄筋コンクリートで製造される。上部構造２３ｂの鉄筋コンクリートが固まると、外槽屋根部２３はタンクの屋根として十分な強度をもつ。
【０００９】
【発明が解決しようとする課題】
上述の様に、従来の円筒型タンクの屋根の構築方法では、外槽屋根部２３の下部構造２３ａは、上部構造２３ｂができる前に、単体で下部に屋根部保冷４３と内槽屋根部３３を吊る。従って、下部構造２３ａは、そのための十分な強度をもつ必要があった。その強度を確保するため、下部構造２３ａが有する半径屋根骨と円周屋根骨は十分な高さ幅を有する形材を使用することが必要とされた。後の工程において、下部構造２３ａの上部に鉄筋コンクリートを打設して上部構造２３ｂをつくるので、外槽屋根部２３が必要以上に厚くなるという問題があった。さらに、半径屋根骨と円周屋根骨との材料は屋根板と同様に耐低温金属材料であることが必要なので、高価な耐低温金属材料を多く使用しなければならないという問題もあった。
【００１０】
本発明は以上に述べた問題点に鑑み案出されたもので、従来の円筒型タンクの屋根の構築方法にかわって、高さと幅の大きな半径屋根骨と円周屋根骨を必要としない円筒型タンクの屋根の構築方法を提供しようとする。
【００１１】
【課題を解決するための手段】
上記目的を達成するため本発明に係る円筒形のタンクの屋根の構築方法は、凸円板形状の屋根板と屋根板の上面の半径方向に設けた複数の半径屋根骨とを有するタンク屋根下部構造を準備する準備工程と、その半径屋根骨の上面の円周方向に補強骨を接合する補強工程と、タンク屋根下部構造を屋根板の下方から空気圧で支持するエアーサポート工程と、エアーサポート工程中に、前記補強骨（２７）を撤去する撤去工程と、エアーサポート工程中にタンク屋根下部構造の上面に鉄筋コンクリートを打設する打設工程とを備え、
前記補強工程は、
前記円周方向に間隔を置いて配置されるように、複数の前記継ぎ板を、前記タンク屋根下部構造の上面に接合する継ぎ板接合工程と、
前記複数の継ぎ板を前記補強骨で連結するように、前記複数の継ぎ板に前記補強骨を接合する補強骨接合工程とを、備え、
さらに、前記継ぎ板接合工程では、前記タンク屋根下部構造の前記上面から上方に突出するように、前記各継ぎ板を該上面に接合し、前記補強骨接合工程では、前記複数の継ぎ板を介して前記補強骨を前記タンク屋根下部構造に接合するものとした。
前記補強骨は円弧状であってよい。
【００１２】
上記本発明の構成により、準備工程で、凸円板形状の屋根板と半径屋根骨とを有するタンク屋根下部構造を準備する。その半径屋根骨は、屋根板の外上面の半径方向に設けられる。補強工程で、その半径屋根骨の上面の円周方向に補強骨を接合する。エアーサポート工程で、タンク屋根下部構造を屋根板の下方から空気圧で支持する。打設工程で、エアーサポート工程中にタンク屋根下部構造の上面に鉄筋コンクリートを打設する。
【００１３】
また、上記本発明の構成により、撤去工程で、エアーサポート工程中に、補強骨を撤去する。
【００１４】
さらに、上記本発明の構成により、補強工程が、板接合工程と補強骨接合工程とを備える。継ぎ板接合工程で、その半径屋根骨の上面に継ぎ板を接合する。補強骨接合工程で、その継ぎ板に円弧状の補強骨を接合する。
【００１５】
【発明の実施の形態】
以下、本発明の好ましい実施形態を図面を参照して説明する。なお、各図において、共通する部分には同一の符号を付し、重複した説明を省略する。
【００１６】
本発明のタンク屋根の構築方法の実施の形態を説明する。図１は、本発明の実施形態の手順図である。
【００１７】
（第Ａ工程）地面に穴を掘り、その内部に外槽底部２１と外槽側部２２とを打設する。外槽底部２１と外槽側部２２は鉄筋コンクリート製である。ナックルプレート５０を外槽側部２２の上端に設ける。（第Ｂ工程）外槽底部２１の上面に外槽屋根部２３の下部構造２３ａブロックを搬入し、外槽屋根部２３の下部構造２３ａを組み立てる。
【００１８】
（第Ｃ工程）外槽屋根部２３の下部構造２３ａの上面に補強骨２７を接合する。（第Ｄ工程）外槽屋根部２３の下部構造２３ａの下面に、屋根部保冷４３を取り付け、その下面に内槽屋根部３３を取り付ける。従って、外槽屋根部２３の下部構造２３ａと屋根部保冷４３と内槽屋根部３３とが一体とった構造を構成する。
【００１９】
（第Ｅ工程）外槽屋根部２３の下部構造２３ａの外周に仮屋根（図示せず）を設け、外槽側部２２との間を気密にする。外槽屋根部２３の下部構造２３ａの下部に圧縮空気を導入し、外槽屋根部２３の下部構造２３ａを圧縮空気の圧力で支持しつつ、屋根部保冷４３と内槽屋根部３３と共に持ち上げる（この工法を、エアーレイジング工法という）。外槽屋根部２３の下部構造２３ａが外槽側部２２の上端に位置したら、外槽屋根部２３の下部構造２３ａと外槽側部２２とを仮固定をした後、外槽屋根部２３の下部構造２３ａの外周と外槽側部２２の上端にあるナックルプレート５０とを接合する。
【００２０】
（第Ｆ工程）外槽屋根部２３の下部構造２３ａの下部に導入している圧縮空気の圧力を上げ、屋根部下部構造を支持する（この工法を、エアーサポート工法という）。屋根株構造がしっかりと支えられたら、補強骨２７を外槽屋根部２３の下部構造２３ａの上面から除去する。
【００２１】
（第Ｇ工程）外槽屋根部２３の下部構造２３ａの上面に、鉄筋を配置しコンクリートを打設する。鉄筋コンクリートが固まり十分な強度が出て、上部構造２３Ｂができたことが確認できたら、圧縮空気を抜く。
【００２２】
（第Ｈ工程）外槽底部２１の上面に、側部保冷４１を取付、その上面に内槽底部３１を設ける。外槽側部２２の内面に、側部保冷４２を取り付け、その内面に内槽側部３２を取り付ける。内槽底部３１の周囲と内槽側部３２の下端とを接合する。さらに内槽側部３２の上端と内槽屋根部３３の周囲を接合する。さらに、ポンプダクト等の補器（図示せず）を設けて地下式タンクの建造が完了する。
【００２３】
以下に、第Ｃ工程における、外槽屋根部２３の下部構造２３ａとその上面の補強構造とを、図をもとに詳述する。図２は、外槽屋根部の下部構造の平面図である。図３は、外槽屋根部の下部構造の正面断面図である。図４は、平面図の部分拡大図である。図５は、正面断面図の部分拡大図である。
【００２４】
外槽屋根部２３の下部構造２３ａは、ブロック状に分割して製作されたブロックを第Ｂ工程において組み立て接合して作られる。外槽屋根部２３の下部構造２３ａは、屋根板２４と半径屋根骨２５（以下、ラフターという。）と円周屋根骨２６（以下、リングという。）とを備える。
【００２５】
屋根板２４は、耐低温金属材料で作られ、上に凸の円板形状を有する。ラフター２５は、耐低温金属材料のＨ型形材で作られ、屋根板２４の中心から外周へ延びる放射線上に配置され、屋根板２４の上面に接合される。所定の本数のラフラー２５が、均等間隔に配置される。リング２６は、耐低温金属材料のＨ型形材で作られ、円周状にラフター２５の側面を繋いで配置され、屋根板２４に接合される。所定の本数のリング２６が、ほぼ均等間隔に配置される。
【００２６】
補強構造は、継ぎ板２８、２９と補強骨２７とを備える。継ぎ板は、第１の継ぎ板２８と第２の継ぎ板２９を有する。第１の継ぎ板２８は、溝型形鋼で作られ、ラフター２５の上面に所定の間隔でその軸心が垂直になる様に接合される。第２の継ぎ板２９は、溝型形鋼で作られ、屋根板２４の上面に所定の間隔でその軸心が垂直になる様に接合される。補強骨２７は、複数の補強骨部材で構成され、補強骨部材は、溝型型鋼を円弧状に曲げて作られた所定の長さの梁である。補強骨２７は、補強骨部材が繋げられて円環状になっており、屋根板の中心から同心円になる様に配置され、継ぎ板２８、２９に接合される。場合によっては、補強骨２７は、閉じた円環状にならず、その一部が欠けるものもある。
【００２７】
次に、第Ｃ工程における補強工程の手順を説明する。第Ｂ工程において組み立て接合され、完成した外槽屋根部２３の下部構造２３ａのラフター２５の上面に、第１の継ぎ板１８を所定の間隔でその軸心が垂直になる様に配置し、ラフター２５と接合する。さらに、第２の継ぎ板２９を屋根板２４の上面に所定の間隔でその軸心が垂直になる様に配置し、屋根板２４と接合する。次に、複数の補強骨部材を繋いで、円環状の補強骨２７を作る。その補強骨２７を屋根板の中心から同心円になる様に配置し、第１の継ぎ板２８と第２の継ぎ板２９の側面に接合する。
【００２８】
次に、第Ｆ工程における除去工程の手順を説明する。第Ｅ工程において外槽側部２２の上端にあるナックルプレート５０とを接合された外槽屋根部２３の下部構造２３ａの下に導入している圧縮空気の圧力を所定圧力まで上げる。この所定圧力により外槽屋根部２３の下部構造２３ａをささえる支持力は、外槽屋根部２３の下部構造２３ａの重量とその下に吊っている屋根部保冷４３の重量と内槽屋根部３３の重量と下部構造２３ａの上部に打設する予定である鉄筋コンクリートの重量を支持するのに十分な強さになる。圧縮空気の圧力が所定圧力に達したことを確認したら、補強骨２７と継ぎ板２８、２９を撤去する。
【００２９】
本実施形態のタンク屋根の構築方法を用いれば、外槽屋根部２３の下部構造２３ａの厚さが薄くてすむので、外槽屋根２３が薄く製作できる。また外槽屋根部２３の下部構造２３ａに使用するラフター２５とリング２６の総重量が少なくてすむので、高価な耐低温材料の使用量がすくなくてすむ。さらにコンクリートの使用量もすくなくてすむ。
【００３０】
さらに、好適な例として継ぎ板２８、２９を介して補強骨２７を外槽屋根部２３の下部構造２３ａに接合する方式を採用したので、継ぎ板２８、２９と外槽屋根部２の下部構造２３ａとの接合を剥がすと、容易に補強骨２７の撤去ができる。又、形鋼を１平面上で曲げて補強骨部材２７を容易に作ることができる。
【００３１】
本発明は以上に述べた実施形態に限られるものではなく、発明の要旨を逸脱しない範囲で各種の変更が可能である。例えば、外槽屋根部２３の下部構造２３ａは、屋根板２４とラフター２５とリング２６を備えた例で説明したが、例えば屋根板２４とラフター２５とで構成されてもよい。
【００３２】
また、補強骨２７に形鋼を使用した例で説明したが、これに限定されずその他の形式でもよい。補強骨２７が円環状形状をもつ例で説明したがこれに限定されず、多角形状でもよい。
さらに、好適な例として、補強骨２７を、接ぎ板２８、２９を介して外槽屋根部２３の下部構造２３ａに接合したが、これに限定されず、補強骨２７を直接外槽屋根部２３の下部構造２３ａに接合してもよい。
【００３３】
【発明の効果】
以上説明したように本発明のタンク屋根の構築方法は、その構成により、以下の効果を有する。
準備工程では凸円板形状の屋根板と半径屋根骨とを有するタンク屋根下部構造を準備し、その半径屋根骨は屋根板の外上面の半径方向に設けら、補強工程ではその半径屋根骨の上面の円周方向に補強骨を接合し、エアーサポート工程ではタンク屋根下部構造を屋根板の下方から空気圧で支持し、打設工程ではエアーサポート工程中にタンク屋根下部構造の上面に鉄筋コンクリートを打設するので、タンク屋根下部構造は、単体で鉄筋コンクリートを支持する必要がなく、軽量につくることができる。
【００３４】
さらに、撤去工程ではエアーサポート工程中に補強骨を撤去するので、タンク屋根下部構造を薄くつくることができる。
また、さらに、補強工程が、板接合工程と補強骨接合工程とを備え、継ぎ板接合工程ではその半径屋根骨の上面に継ぎ板を接合し、補強骨接合工程ではその継ぎ板に円弧状の補強骨を接合するので、補強骨の製作が容易な形状を選択でき、補強骨の撤去が容易にできる。
【００３５】
従って、従来の円筒型タンクの屋根の構築方法にかわって、高さと幅の大きな半径屋根骨と円周屋根骨を必要としない円筒型タンクの屋根の構築方法を提供できる。
【図面の簡単な説明】
【図１】本発明の実施形態の手順図である。
【図２】外槽屋根部の下部構造の平面図である。
【図３】外槽屋根部の下部構造の正面断面図である。
【図４】平面図の部分拡大図である。
【図５】正面断面図の部分拡大図である。
【図６】地下式タンクの正面断面図である。
【図７】従来の手順図である。
【符号の説明】
１０    地下式タンク
２０    外槽
２１    外槽底部
２２    外槽側部
２３    外槽屋根部
２４    屋根板
２５    ラフター
２６    リング
２７    補強骨
２８    第１の継ぎ板
２９    第２の継ぎ板
３０    内槽
３１    内槽底部
３２    内槽側部
３３    内槽屋根部
４０    保冷構造
４１    底部保冷
４２    側部保冷
４３    屋根部保冷
５０    ナックルプレート
【図１】
0004332686.tif 000002
【図２】
0004332686.tif 000003
【図３】
0004332686.tif 000004
【図４】
0004332686.tif 000005
【図５】
0004332686.tif 000006
【図６】
0004332686.tif 000007
【図７】
0004332686.tif 000008